(57)【特許請求の範囲】
【請求項１】
ディジタル情報を記録する記録媒体であって、
１又は２以上のオーディオデータを有するオーディオストリームが記録される第１の記録領域と、
前記オーディオストリームに関する制御情報が記録される第２の記録領域とを有し、
前記制御情報は、前記オーディオストリームが異なる記録モードのオーディオデータを有しているか否かを示すためのアプリケーション情報を有することを特徴とする記録媒体。
【請求項２】
前記記録モードは少なくとも、モノラルオーディオ、多チャンネルオーディオ、多重オーディオであることを特徴とする請求項１に記載の記録媒体。
【請求項３】
前記オーディオストリームは、前記多重オーディオの記録モードのオーディオデータを有することを特徴とする請求項１又は２に記載の記録媒体。
【請求項４】
前記多重オーディオの記録モードのオーディオデータは、複数のオーディオチャンネルで構成され、各オーディオチャンネル毎に異なる多重オーディオの言語データを有することを特徴とする請求項３に記載の記録媒体。
【請求項５】
前記オーディオストリームは、前記多チャンネルオーディオの記録モードのオーディオデータを更に有し、前記アプリケーション情報は、記録モードの異なるオーディオデータを有するオーディオストリームを識別する情報を有することを特徴とする請求項３又は４に記載の記録媒体。
【請求項６】
前記制御情報は、更に、前記オーディオストリームのオーディオチャンネル数を示す数情報を有することを特徴とする請求項１乃至６のいずれか１項の記録媒体。
【請求項７】
前記制御情報は、更に、前記記録モードを識別するための数情報を有することを特徴とする請求項１乃至５の何れか１項に記載の記録媒体。
【請求項８】
前記制御情報は、更に、前記オーディオデータのビットレートを示すレート情報を有することを特徴とする請求項１乃至７の何れか１項に記載の記録媒体。
【請求項９】
記録媒体にオーディオデータを記録する記録装置であって、
１又は２以上のオーディオデータをオーディオストリームとして前記記録媒体に記録する第１の記録手段と、
前記オーディオストリームが異なる記録モードのオーディオデータを有しているか否かを示すためのアプリケーション情報を有する制御情報を生成する生成手段と、
前記制御情報を前記記録媒体に記録する第２の記録手段と、
を具備することを特徴とする記録装置。
【請求項１０】
前記記録モードは少なくとも、モノラルオーディオ、多チャンネルオーディオ、多重オーディオであることを特徴とする請求項９に記載の記録装置。
【請求項１１】
前記オーディオストリームは、前記多重オーディオの記録モードのオーディオデータを有することを特徴とする請求項９又は１０に記載の記録装置。
【請求項１２】
前記多重オーディオの記録モードのオーディオデータは、複数のオーディオチャンネルで構成され、各オーディオチャンネル毎に異なる多重オ＾ディオの言語データを有することを特徴とする請求項１１に記載の記録装置。
【請求項１３】
前記オーディオストリームは、前記多チャンネルオーディオの記録モードのオーディオデータを更に有し、前記生成手段は、記録モードの異なるオーディオデータを有するオーディオストリームを識別する情報を有する前記アプリケーション情報を生成することを特徴とする請求項１１又は１２に記載の記録装置。
【請求項１４】
前記生成手段は、更に、前記オーディオストリームのオーディオチャンネル数を示す数情報を生成することを特徴とする請求項９乃至１３の何れか１項に記載の記録装置。
【請求項１５】
前記生成手段は、更に、記録モードを識別するための数情報を生成することを特徴とする請求項９乃至１３の何れか１項に記載の記録装置。
【請求項１６】
前記生成手段は、更に、前記オーディオデータのビットレートを示すレート情報を生成することを特徴とする請求項９乃至１５の何れか１項に記載の記録装置。
【請求項１７】
記録媒体から情報を再生する再生装置であって、
１又は２以上のオーディオデータを有するオーディオストリームが記録される第１の記録領域と、前記オーディオストリームが異なる記録モードのオーディオデータを有しているか否かを示すためのアプリケーション情報を有する制御情報が記録される第２の記録領域とを有する記録媒体から、オーディオデータを再生する再生装置であって、
前記記録媒体から前記制御情報を読み取る読取手段と、
前記記録媒体に記録されている前記オーディオデータを再生する制御を前記制御情報に基づいて行う制御手段と、
を具備することを特徴とする再生記置。
【請求項１８】
前記記録モードは少なくとも、モノラルオーディオ、多チャンネルオーディオ、多重オーディオであることを特徴とする請求項１７に記載の再生装置。
【請求項１９】
前記オーディオストリームは、前記多重オーディオの記録モードのオーディオデータを有することを特徴とする請求項１７又は１８に記載の再生装置。
【請求項２０】
前記多重オーディオの記録モードのオーディオデータは、複数のオーディオチャンネルで構成されると共に各オーディオチャンネル毎に異なる多重オーディオの言語データを有し、
更に、多重言語データの１つを選択する操作手段を有すると共に、前記制御手段は、オーディオデータの再生に際し、前記選択された多重オーディオの言語データを再生する制御を行うことを特徴とする請求項１９に記載の再生装置。
【請求項２１】
前記オーディオストリームは、多チャンネルオーディオの記録モードのオーディオデータを更に有し、
前記アプリケーション情報は、記録モードの異なるオーディオデータを有するオーディオストリームを識別する情報を有することを特徴とする請求項１９又は２０に記載の再生装置。
【請求項２２】
前記制御情報は、更に、前記オーディオストリームのオーディオチャンネル数を示す数情報を有することを特徴とする請求項１７乃至２１の何れか１項に記載の再生装置。
【請求項２３】
前記制御情報は、更に、前記記録モードを識別するための数情報を有することを特徴とする請求項１７乃至２１の何れか１項に記載の再生装置。
【請求項２４】
前記制御情報は、更に、前記オーディオデータのビットレートを示すレート情報を有することを特徴とする請求項１７乃至２９の何れか１項に記載の再生装置。
【請求項２５】
記録媒体にオーディオデータを記録する記録方法であって、
前記オーディオデータをオーディオストリームとして前記記録媒体に記録する第１の記録ステップと、
前記オーディオストリームが異なる記録モードのオーディオデータを有しているか否かを示すためのアプリケーション情報を有する制御情報を生成して、前記記録媒体に記録する生成ステップと、
を具備することを特徴とする記録方法。
【請求項２６】
前記記録モードは少なくとも、モノラルオーディオ、多チャンネルオーディオ、多重オーディであることを特徴とする請求項２５に記載の記録方法。
【請求項２７】
前記オーディオストリームは、前記多重オーディオの記録モードのオーディオデータを有することを特徴とする請求項２５又は２６に記載の記録方法。
【請求項２８】
前記多重オーディオの記録モードのオーディオデータは、複数のオーディオチャンネルで構成されると共に、各オーディオチャンネル毎に異なる多重オーディオの言語データを有することを特徴とする請求項２７に記載の記録方法。
【請求項２９】
前記オーディオストリームは、前記多チャンネルオーディオの記録モードのオーディオデータを更に有し、
前記アプリケーション情報は、記録モードの異なるオーディオデータを有するオーディオストリームを示す情報を有することを特徴とする請求項２７又は２８に記載の記録方法。
【請求項３０】
前記制御情報は、更に、前記オーディオストリームのオーディオチャンネル数を示す数情報を有することを特徴とする請求項２５乃至２９の何れか１項に記載の記録方法。
【請求項３１】
前記制御情報は、更に、前記記録モードを識別する数情報を有することを特徴とする請求項２５乃至２９の何れか１項に記載の記録方法。
【請求項３２】
前記制御情報は、更に、前記オーディオデータのビットレートを示すレート情報を有することを特徴とする請求項２５乃至２９の何れか１項に記載の記録方法。
【請求項３３】
１又は２以上のオーディオデータを有するオーディオストリームが記録される第１の記録領域と、前記オーディオストリームが異なる記録モードのオーディオデータを有しているか否かを示すためのアプリケーション情報を有する制御情報が記録される第２の記録領域とを有する記録媒体から、オーディオデータを再生する再生方法であって、
前記記録媒体から前記制御情報を読み取り、前記読み取った制御情報に基づいて前記記録媒体に記録されているオーディオデータを再生する制御を行う制御ステップと、
を具備することを特徴とする再生方法。
【請求項３４】
前記記録モードは少なくとも、モノラルオーディオ、多チャンネルオーディオ、多重オーディであることを特徴とする請求項３３に記載の再生方法。
【請求項３５】
前記オーディオストリームは、前記多重オーディオの記録モードのオーディオデータを有することを特徴とする請求項３３又は３４に記載の再生方法。
【請求項３６】
前記多重オーディオ記録モードのオーディオデータは、複数のオーディオチャンネルで構成されると共に各オーディオチャンネル毎に異なる多重オーディオの言語データを有し、
更に、多重言語データを選択する操作ステップを有すると共に、前記制御ステップは、オーディオデータの再生に際し、前記選択された言語データを再生する制御を行うことを特徴とする請求項３５に記載の再生方法。
【請求項３７】
前記オーディオストリームは、前記多チャンネルオーディオ記録モードのオーディオデータを更に有し、
前記アプリケーション情報は、記録モードの異なるオーディオデータを有するオーディオストリームを示す情報を有することを特徴とする請求項３５又は３６に記載の再生方法。
【請求項３８】
前記制御情報は、更に、前記オーディオストリームのオーディオチャンネル数を示す数情報を有することを特徴とする請求項３３乃至３７の何れか１項に記載の再生方法。
【請求項３９】
前記制御情報は、更に、前記記録モードを識別する数情報を有することを特徴とする請求項３３乃至３７の何れか１項に記載の再生方法。
【請求項４０】
前記制御情報は、更に、前記オーディオデータのビットレートを示すレート情報を有することを特徴とする請求項３３乃至３９の何れか１項に記載の再生方法。
【発明の詳細な説明】
【０００１】
【発明の属する技術分野】
本発明は、記録情報の書込みが可能なＤＶＤ−ＲやＤＶＤ−ＲＷ等の記録媒体と、その記録媒体を用いる記録装置及び再生装置に関し、特に、複数の記録モードが混在する記録情報を記録・再生するのに好適な論理データ構造を有する記録媒体と、その記録媒体を用いる記録装置及び再生装置に関するものである。
【０００２】
【従来の技術】
従来、高品位のビデオ情報とオーディオ情報を提供することを可能にした再生専用記録媒体として、光技術を用いたＤＶＤ−Videoが知られている。ＤＶＤ−Videoは、特徴的な論理データ構造に基づいて情報を記録することにより、広範囲な用途への適用可能性と、各種のインタラクティブ再生を可能にする豊富な機能を実現している。
【０００３】
この論理データ構造については公知文献に記載されているが、その概要を以下に説明する。ＤＶＤ−Videoのボリューム空間には、内周側のリードイン領域と、外周側のリードアウト領域と、これらリードインとリードアウト領域の間に設けられたデータ記録領域（データ記録ゾーン）とが備えられ、データ記録領域に複数ファイルのデータを記録するようになっている。
【０００４】
データ記録領域に記録されるデータは、大きく分けて、制御用データであるナビゲーションデータと、再生用データであるプレゼンテーションデータとから成っている。
【０００５】
ナビゲーションデータは、プレゼンテーションデータのアトリビュート（属性；attribute）と再生に必要な制御情報を有し、５種類のナビゲーションデータが存在する。具体的には、ナビゲーションデータとして、ビデオマネージャ情報（ＶＭＧＩ）、ビデオタトルセット情報（ＶＴＳＩ）、プログラムチェーン情報（ＰＧＣＩ）、再生制御情報（ＰＣＩ）、データサーチ情報（ＤＳＩ）が存在する。
【０００６】
プレゼンテーションデータには、ビデオデータとオーディオデータ及びサブピクチャーデータが存在し、一部のナビゲーションデータと共にＭＰＥＧ２（ISO 13818-1）に準拠して統合されている。
【０００７】
ビデオデータは、ＭＰＥＧ２ビデオフォーマット（ISO 13818-2）に従って圧縮されたデータが１ストリーム分存在する。オーディオデータは、リニアＰＣＭ、ＡＣ−３、ＭＰＥＧオーディオの３方式が許容され、最大８ストリーム分の存在が可能となっている。
【０００８】
サブピクチャデータは、字幕やメニュー、カラオケの歌詞等を主映像に重ねて表示することを可能にするためのランレングス圧縮符号化によって圧縮されたデータであり、最大３２ストリーム分の存在が可能となっている。
【０００９】
これらのビデオデータとオーディオデータ及びサブピクチャデータをそれぞれ複数のパック単位の集合とし、パック単位で多重化されたビットストリームによって上記のプレゼンテーションデータが構成されている。
【００１０】
また、ビデオデータとオーディオデータ及びサブピクチャーデータに再生制御情報（ＰＣＩ）とデータサーチ情報（ＤＳＩ）を付加して成る一の単位を、ビデオオブジェクトユニット（ＶＯＢＵ）と呼んでいる。再生制御情報（ＰＣＩ）は、プレゼンテーションデータの状態に従って再生情報を決定するために在り、データサーチ情報（ＤＳＩ）は、順早送り再生と逆早戻し再生及び連続再生に関する情報を有している。
【００１１】
また、複数のビデオオブジェクトユニット（ＶＯＢＵ）の集合をセル（Ｃｅｌｌ）、複数のセル（Ｃｅｌｌ）の集合をビデオオブジェクト（ＶＯＢ）、複数のビデオオブジェクト（ＶＯＢ）の集合をビデオオブジェクトセット（ＶＯＢＳ）と呼んでいる。
【００１２】
更に、１又は２以上のビデオオブジェクトセット（ＶＯＢＳ）に、ビデオタトルセット情報（ＶＴＳＩ）とプログラムチェーン情報（ＰＧＣＩ）を有する制御データを付加して成る一のセット単位を、ビデオタイトルセット（ＶＴＳ）と呼んでいる。そして、上記のビデオマネージャ情報（ＶＭＧＩ）を有するビデオマネージャ（ＶＭＧ）と呼ばれる制御データに続けて、複数のビデオタイトルセット（ＶＴＳ）が記録される。
【００１３】
尚、ビデオタトルセット情報（ＶＴＳＩ）は、ビデオタイトルセット（ＶＴＳ）内のビデオオブジェクトセット（ＶＯＢＳ）の属性情報を有し、プログラムチェーン情報（ＰＧＣＩ）は、プレゼンテーションデータの再生順序に関する情報をセル（Ｃｅｌｌ）の順序の情報として有している。ビデオマネージャ情報（ＶＭＧＩ）は、ビデオタイトルセット（ＶＴＳ）のディレクトリに関する情報等を有している。
【００１４】
そして、ナビゲーションデータの情報に基づいてプレゼンテーションデータの再生制御を行うことで、インタラクティブ再生を可能にしている。
【００１５】
【発明が解決しようとする課題】
ところで、上記のＤＶＤ−Videoに続いて、ＤＶＤ−ＲとＤＶＤ−ＲＷが注目されている。ＤＶＤ−Ｒは、記録情報の追記録が可能な記録媒体である。ＤＶＤ−ＲＷは、記録情報の書き換えが可能、すなわち、記録情報の記録再生と消去及び再書き込みが可能な記録媒体である。また、これらＤＶＤ−ＲとＤＶＤ−ＲＷは、ＤＶＤ−Videoを含む所謂ＤＶＤファミリー間での物理的互換性を保持する。このため、ＤＶＤ−ＲとＤＶＤ−ＲＷは、使用者等にとっては所望のマルチメデイアタイトルを制作するのに極めて適した記録媒体である。
【００１６】
ところが、記録情報の多様化も進んでおり、ＤＶＤ−Videoで規格化されている論理データ構造をこれらＤＶＤ−ＲとＤＶＤ−ＲＷに単に採用した場合には、次のような課題があった。
【００１７】
ＤＶＤ−Videoでは、ステレオのオーディオデータ、すなわち２チャンネルのオーディオデータを１つのオーディオストリームとして記録するステレオ記録モード（２／０モードと呼ばれる）と、オーディオデータを１つのオーディオストリームとして記録するモノラル記録モード（１／０モードと呼ばれる）が用意されている。
【００１８】
しかし、例えば、二カ国語音声とステレオ音声とが頻繁に切り替わるテレビジョン放送の洋画番組を録画する場合等、つまり、夫々独立したオーディオ情報であり且つ同一時間ベースを持っている多国語のオーディオ情報（以下、多重オーディオ情報という）と、ステレオオーディオに代表される複数チャンネルのオーディオ情報（多チャンネルオーディオ情報という）を含んでいるテレビジョン放送を録画する場合等では、それらの音声情報が切り替わる度に、オーディオストリームの切り替え（すなわち、ステレオ記録モードとモノラル記録モードの切替え）を頻繁に行い、ビデオオブジェクト（ＶＯＢ）を新規に設定しながら記録する必要がある。
【００１９】
つまり、二カ国語音声のときにはモノラル記録モードを設定して、主音声と副音声をそれぞれ別個のストリーム（すなわち、合計２ストリーム）に記録し、ステレオ音声になるとステレオ記録モードで記録する（すなわち、１ストリームで記録する）ように、記録モードの切替を頻繁に行い、ビデオオブジェクト（ＶＯＢ）を新規に設定する必要がある。また、二カ国語音声とモノラル音声とが頻繁に切り替わるテレビジョン放送の洋画番組等を録画する場合においても、同様の処理を行う必要が生じる。
【００２０】
このように、記録モード切替によってオーディオストリームを切り替えながら記録することとすると、再生時にも、オーディオストリームを切り替えながら再生することとなり、この再生時のストリーム切り替えの際に、再生音中にノイズが混入したり無音期間が生じる場合があり、音質劣化を招くという問題があった。
【００２１】
また、再生されたデジタルオーディオデータを従来のディジタル入力対応のオーディオビジュアル機器に供給すると、オーディオストリームが切り替わる度に、そのオーディオビジュアル機器の再生モードをステレオ再生モードとモノラル再生モードに切り替えなければならないという問題があった。
【００２２】
本発明は、このような課題に鑑みてなされたものであり、複数の記録モードが混在する記録情報を効率的に記録又は再生することを可能にする記録媒体と、その記録媒体を用いる記録装置及び再生装置を提供することを目的とする。
【００２３】
【課題を解決するための手段】
上記目的を達成するため本発明は、夫々独立したオーディオ情報であり且つ同一時間ベースを持っている多国語オーディオ情報に代表される多重オーディオ情報を少なくとも有する記録情報について、記録装置又は再生装置による上記記録情報の記録又は再生を可能とする記録媒体であって、上記記録情報を１又は２以上の所定の記録単位の集合として記録する第１の記録領域と、上記第１の記録領域に記録される上記記録情報を制御するための制御情報を記録する第２の記録領域とを備え、上記記録装置により、上記多重オーディオ情報を有する上記記録情報の記録が行われる際には、上記多重オーディオ情報の上記夫々独立したオーディオ情報の数を示す第１の情報と、上記多重オーディオ情報を一のストリームとして記録することを示す第２の情報とを上記第２の記録領域に記録させ、上記再生装置により、既に記録されている上記多重オーディオ情報を有する記録情報の再生が行われる際には、上記第２の記録領域に既に記録されている上記第１，第２の情報に基づいて、上記記録情報を再生させる構成とした。
【００２４】
また、記録装置又は再生装置により、夫々独立したオーディオ情報であり且つ同一時間ベースを持っている多国語オーディオ情報に代表される多重オーディオ情報と、ステレオオーディオに代表される複数チャンネルのオーディオ情報を有する多チャンネルオーディオ情報とを少なくとも含んだ記録情報について、上記記録情報の記録又は再生を可能とする記録媒体であって、上記記録情報を１又は２以上の所定の記録単位の集合として記録する第１の記録領域と、上記第１の記録領域に記録される上記記録情報を制御するための制御情報を記録する第２の記録領域とを備え、上記記録装置により、上記多重オーディオ情報と上記多チャンネルオーディオ情報を含んだ上記記録情報の記録が行われる際には、上記多重オーディオ情報の上記独立したオーディオ情報の数及び上記多チャンネルオーディオ情報のチャンネル数とを示す第１の情報と、上記多重オーディオ情報と上記多チャンネルオーディオ情報を一のストリームとして記録することを示す第２の情報とを上記第２の記録領域に記録させ、上記再生装置により、既に記録されている上記多重オーディオ情報と上記多チャンネルオーディオ情報を含んだ上記記録情報の再生が行われる際には、上記第２の記録領域に既に記録されている上記第１，第２の情報に基づいて、上記記録情報を再生させる構成とした。
【００２５】
これらの構成の記録媒体によれば、多重オーディオ情報を１ストリームとして記録することにより、記録容量の節約を可能にする。すなわち、多重オーディオ情報を２ストリームとして記録する必要がなく且つ、各ストリームを管理・制御するための制御情報を、複数チャンネル、あるいはモノラルオーディオ情報と多重オーディオ情報等の切り替わり点で新たなビデオオブジェクト(ＶＯＢ）を作成して記録するということが不要になるため、記録容量の節約を可能にする。
【００２６】
また、多重オーディオ情報を２ストリームとして記録することにすると、例えば多重オーディオ情報と多チャンネルオーディオ情報を含んだ記録情報を記録する際に、ストリームの切替えが必要となって、ノイズや無音期間が生じる場合があるが、多重オーディオ情報を多チャンネルオーディオ情報と同様に１ストリームとして記録することとしたことで、ストリームの切替えが不要となり、ノイズや無音期間の発生を抑えることができる。
【００２７】
また、多重オーディオ情報のオーディオ情報の数（第１の情報）と１ストリームとして記録することを示す情報（第２の情報）が記録されることにより、これらの情報に基づいて元の多重オーディオ情報を再生させることができる。
【００２８】
また、本発明の記録装置は、記録情報を１又は２以上の所定の記録単位の集合として記録する第１の記録領域と、上記第１の記録領域に記録される上記記録情報を制御するための制御情報を記録する第２の記録領域とを備える記録媒体に上記記録情報を記録する記録装置であって、夫々独立したオーディオ情報であり且つ同一時間ベースを持っている多国語オーディオ情報に代表される多重オーディオ情報を少なくとも有する記録情報を、上記記録媒体に記録する際に、上記多重オーディオ情報の上記夫々独立したオーディオ情報の数を示す第１の情報と、上記多重オーディオ情報を一のストリームとして記録することを示す第２の情報とを上記第２の記録領域に記録する制御手段を備える構成とした。
【００２９】
また、記録情報を１又は２以上の所定の記録単位の集合として記録する第１の記録領域と、上記第１の記録領域に記録される上記記録情報を制御するための制御情報を記録する第２の記録領域とを備える記録媒体に上記記録情報を記録する記録装置であって、夫々独立したオーディオ情報であり且つ同一時間ベースを持っている多国語オーディオ情報に代表される多重オーディオ情報と、ステレオオーディオに代表される複数チャンネルのオーディオ情報を有する多チャンネルオーディオ情報とを少なくとも含んだ上記記録情報を、上記記録媒体に記録する際に、上記多重オーディオ情報の上記夫々独立したオーディオ情報の数を示す第１の情報と、上記多重オーディオ情報を一のストリームとして記録することを示す第２の情報とを上記第２の記録領域に記録する制御手段を備える構成とした。
【００３０】
これらの構成の記録装置によれば、多重オーディオ情報を１ストリームとして記録することにより、記録媒体の記録容量の節約を可能にする。すなわち、多重オーディオ情報を２ストリームとして記録する必要がなく且つ、各ストリームを管理・制御するための制御情報を、複数チャンネル、あるいはモノラルオーディオ情報と多重オーディオ情報等の切り替わり点で新たなビデオオブジェクト(ＶＯＢ）を作成して記録するということが不要になるため、記録容量の節約を可能にする。
【００３１】
また、多重オーディオ情報を２ストリームとして記録することにすると、例えば多重オーディオ情報と多チャンネルオーディオ情報を含んだ記録情報を記録する際に、ストリームの切替えが必要となって、ノイズや無音期間が生じる場合があるが、多重オーディオ情報を多チャンネルオーディオ情報と同様に１ストリームとして記録することとしたことで、ストリームの切替えが不要となり、ノイズや無音期間の発生を抑えることができる。
【００３２】
また、多重オーディオ情報のオーディオ情報の数（第１の情報）と１ストリームとして記録することを示す情報（第２の情報）が記録されることにより、これらの情報に基づいて元の多重オーディオ情報を再生させることができる。
【００３３】
また、本発明の再生装置は、記録情報を１又は２以上の所定の記録単位の集合として記録する第１の記録領域と、上記第１の記録領域に記録される上記記録情報を制御するための制御情報を記録する第２の記録領域とを備え、夫々独立したオーディオ情報であり且つ同一時間ベースを持っている多国語オーディオ情報に代表される多重オーディオ情報を少なくとも有する上記記録情報が上記第１の記録領域に既に記録され、上記多重オーディオ情報の上記夫々独立したオーディオ情報の数を示す第１の情報と、上記多重オーディオ情報を一のストリームとして記録したことを示す第２の情報とが上記第２の記録領域に既に記録された記録媒体より、上記記録情報を再生する再生装置であって、上記第２の記録領域に既に記録されている上記第１，第２の情報とに基づいて上記記録情報を再生する制御手段を有する構成とした。
【００３４】
また、記録情報を１又は２以上の所定の記録単位の集合として記録する第１の記録領域と、上記第１の記録領域に記録される上記記録情報を制御するための制御情報を記録する第２の記録領域とを備え、夫々独立したオーディオ情報であり且つ同一時間ベースを持っている多国語オーディオ情報に代表される多重オーディオ情報と、ステレオオーディオに代表される複数チャンネルのオーディオ情報を有する多チャンネルオーディオ情報とを少なくとも有する上記記録情報が上記第１の記録領域に既に記録され、上記多重オーディオ情報の上記独立したオーディオ情報の数及び上記多チャンネルオーディオ情報のチャンネル数とを示す第１の情報と、上記多重オーディオ情報と上記多チャンネルオーディオ情報を一のストリームとして記録することを示す第２の情報とが上記第２の記録領域に既に記録された記録媒体より、上記記録情報を再生する再生装置であって、上記第２の記録領域に既に記録されている上記第１，第２の情報とに基づいて上記記録情報を再生する制御手段を有する構成とした。
【００３５】
これらの構成の再生装置によると、上記第２の記録領域に既に記録されている第１の情報と第２の情報とに基づいて、元の多重オーディオ情報や多チャンネルオーディオ情報を再生することができる。
【００３６】
【発明の実施の形態】
以下、本発明の実施の形態について図面を参照して説明する。図１は、追記録可能なＤＶＤ−Ｒ、又は記録再生と消去及び再記録が可能なＤＶＤ−ＲＷ（DVD−ReWritable）を用いる記録再生装置の構成を示すブロック図である。
【００３７】
まず、本発明を明確にするために、説明に使用するための用語の定義をしておく。多重オーディオ情報とは、二カ国語音声等の多国語オーディオで代表されるオーディオ情報を指し、より物理的に述べれば、夫々独立したオーディオ情報であって且つ同一時間ベースを持っている２以上のオーディオ情報から構成されたオーディオ情報のことを言う。
【００３８】
多チャンネルオーディオ情報とは、右チャンネルと左チャンネルのオーディオ情報から成る所謂ステレオオーディオに代表される、複数チャンネルのオーディオ情報を言う。
【００３９】
尚、本実施形態では、説明の便宜上、外国語音声と母国語音声から成る二カ国語音声の多重オーディオ情報と、２チャンネルの複数チャンネルオーディオ情報を扱う記録媒体と、記録装置、再生装置について説明するものとする。
【００４０】
よって、複数チャンネルオーディオ情報については、ステレオオーディオ信号、ステレオ、ステレオオーディオ等の「ステレオ」の語を付けて説明することとし、多重オーディオ情報については、多重オーディオ信号、多重オーディオ等の「多重」の語を付けて説明することとする。
【００４１】
図１において、本記録再生装置１の構成を説明する。本記録再生装置１は、ＤＶＤ−Ｒ又はＤＶＤ−ＲＷ（以下、記録媒体という）２を回転駆動するスピンドルモータ３と、記録媒体２に対して記録情報を光学的に記録再生するピックアップ４と、スピンドルモータ３とピックアップ４をサーボ制御するためのサーボ回路５と、記録媒体２に記録すべきデータを生成するための記録系６と、記録媒体２に記録されているデータを再生するための再生系７と、記録再生装置１全体を制御する中央制御回路８と、操作者が中央制御回路８に対して所望の指示をするための操作部９と、表示部１０とを備えて構成されている。
【００４２】
記録系６は、Ａ／Ｄコンバータ１１，１２、オーディオ圧縮回路１３、ビデオ圧縮回路１４、マルチプレックス回路１５、記録バッファメモリ１６、エンコーダ１７及び記録回路１８を備えて構成されている。
【００４３】
ここで、Ａ／Ｄコンバータ１１は、外部供給されるアナログのオーディオ信号ＳAIをデジタルのオーディオデータＤAIにアナログ・デジタル変換して出力する。また、オーディオ信号ＳAIがステレオオーディオ信号の場合には、各チャンネル毎にアナログ・デジタル変換して出力する。
【００４４】
また、オーディオ信号ＳAIが二カ国語音声等の主音声と副音声を有するオーディオ信号（つまり、多重オーディオ信号）の場合には、主音声と副音声毎にアナログ・デジタル変換して出力する。
【００４５】
オーディオ圧縮回路１３は、中央制御回路８からの制御信号Ｃ１によって指定されるデータ圧縮方式に基づいて、オーディオデータＤAIをデータ圧縮し、そのデータ圧縮したオーディオデータ（以下、圧縮オーディオデータという）ＤＰAIをマルチプレックス回路１５に供給する。尚、本実施形態では、リニアＰＣＭとＡＣ−３及びＭＰＥＧオーディオの各規格に準拠したデータ圧縮方式が適用され、使用者等が操作部９を操作することにより、これらのデータ圧縮方式を任意に指定できるようになっている。
【００４６】
また、オーディオ圧縮回路１３は、ステレオのオーディオデータＤAIを入力すると、チャンネル毎にそれぞれデータ圧縮し、多重のオーディオデータＤAIを入力すると、主音声と副音声毎にそれぞれデータ圧縮する。
【００４７】
Ａ／Ｄコンバータ１２は、外部供給されるアナログのビデオ信号ＳVIをデジタルのビデオデータＤVIにアナログ・デジタル変換して出力する。ビデオ圧縮回路１４は、ビデオデータＤVIをＭＰＥＧ２ビデオフォーマット（ISO 13818-2）に従ってデータ圧縮し、そのデータ圧縮したビデオデータ（以下、圧縮ビデオデータという）ＤＰVIをマルチプレックス回路１５に供給する。
【００４８】
マルチプレックス回路１５は、使用者等により記録開始の指示がなされると、中央制御回路８からの制御信号Ｃ２で指定される所定タイミングに従って、圧縮オーディオデータＤＰAIと圧縮ビデオデータＤＰVIをマルチプレックス（時分割多重）し、プレゼンテーションデータとなる時分割多重の施された圧縮データＤＰWを生成する。
【００４９】
記録バッファメモリ１６は、圧縮オーディオデータＤＰAIと圧縮ビデオデータＤＰVIを一時的に格納し、マルチプレックス回路１５と協働して圧縮データＤＰWを生成する。そして、時分割多重の施された圧縮データＤＰWをエンコーダ１７に出力する。また、記録バッファメモリ１６から中央制御回路８に、圧縮データＤＰWのデータ量（データ長）を示すデータ量信号Ｃmwが逐一転送され、更に、中央制御回路８が、データ量信号Ｃmwに基づいて圧縮データＤＰWのデータ量を文字や図形等によって表示部１０に表示させる。
【００５０】
エンコーダ１７は、中央制御回路８から供給される制御信号Ｃ３に従って、圧縮データＤＰWを符号化し、それによって生成されるエンコードデータＤWEを記録回路１８へ出力する。
【００５１】
また、エンコーダ１７は、制御信号Ｃ３に従って、再生制御に必要なナビゲーションデータも併せて生成して出力する。
【００５２】
特に、オーディオ信号ＳAIが多重オーディオ信号の場合には、多重記録モードとなり、主音声と副音声の圧縮オーディオデータＤＰAIを１ストリームとして記録することを示すナビゲーションデータを生成する。このナビゲーションデータは、後述する（図４参照）オーディオストリーム属性テーブル（VOB_AST_ATRT）内のチャンネル数の項目に記録され、具体的には、所定コードのデータ“０１１”が記録される。尚、この“０１１”のコードデータを、１＋１チャンネルデータと呼ぶこととする。
【００５３】
また、オーディオ信号ＳAIが多チャンネルオーディオ信号の場合には、多チャンネル記録モードとなり、２チャンネルの圧縮オーディオデータＤＰAIを１ストリームとして記録することを示すナビゲーションデータを生成する。このナビゲーションデータは、オーディオストリーム属性テーブル（VOB_AST_ATRT）内のチャンネル数の項目に、所定コードのデータ“０００”として記録される。尚、この“０００”のコードデータを２／０チャンネルデータと呼ぶこととする。
【００５４】
また、オーディオ信号ＳAIがモノラルのオーディオ信号の場合には、モノラル記録モードとなり、モノラルの圧縮オーディオデータＤＰAIを１ストリームとして記録することを示すナビゲーションデータを生成する。このナビゲーションデータは、オーディオストリーム属性テーブル（VOB_AST_ATRT）内のチャンネル数ＣＨｎに、所定コードのデータ“００１”として記録される。尚、この“００１”のコードデータを１／０チャンネルデータと呼ぶこととする。
【００５５】
また、オーディオストリーム属性テーブル（VOB_AST_ATRT）は１個設けられている。
【００５６】
但し、オーディオ信号ＳAIがステレオオーディオ信号又は多重オーディオ信号の場合に、使用者等がモノラル記録モードを指定することができるようになっている。この場合には、右チャンネル、若しくは左チャンネルを１ストリームとして記録すると共に、主音声、若しくは副音声もそれぞれ１ストリームとして記録し、更に、上記の各チャンネルデータによってそれぞれのストリームを管理するようになっている。
【００５７】
更に詳細は後述するが、記録媒体２に記録される１タイトル分のオーディオデータが、ステレオ、多重オーディオデータ又はモノラルデータの混在したデータとして記録される場合には、オーディオストリーム属性テーブル（VOB_AST_ATRT）中のチャンネルナンバーの項目に、その混在したことを示すビットデータ“１”の混在フラグデータＦＬＧが記録され、混在していない場合には、その混在フラグＦＬＧは“０”に設定される。
【００５８】
記録回路１８は、中央制御回路８から供給される制御信号Ｃ４に従って、エンコードデータ（ナビゲーションデータを含む）ＤWEに対して電力増幅等の処理を施し、これによって生成される記録用データＤWTをピックアップ４に供給する。
【００５９】
そして、ピックアップ４に内蔵されている半導体レーザ等の光源が記録用データＤWTによって駆動され、更に、光源から射出される記録光によって、記録用データＤWTが光学的に記録媒体２に記録される。
【００６０】
次に、再生系７は、Ｄ／Ａコンバータ１９，２０、ビデオ伸張回路２１、オーディオ伸張回路２２、デマルチプレックス回路２３、再生バッファメモリ２４、デコーダ２５及び再生回路２６を備えて構成されている。
【００６１】
再生回路２６は、ピックアップ４により記録媒体２から読み取られた検出信号（ＲＦ信号）ＤRDを、中央制御回路８から供給される制御信号Ｃ５に従って波形整形し、それによって生成される２値の再生データＤPPをデコーダ２５に出力する。
【００６２】
デコーダ２５は、中央制御回路８から供給される制御信号Ｃ６に従って、上記エンコーダ１７のエンコード方式に対応する所定のデコード方式に基づいて再生データＤPPをデコード（復元）し、それにより生成されるデコードデータＤＰRを再生バッファメモリ２４へ出力する。
【００６３】
再生バッファメモリ２４は、デコードデータＤＰRを入力して一時的に格納すると共に、デコードデータＤＰRに含まれているナビゲーションデータＣmrを中央制御回路８に供給し、中央制御回路８は、ナビゲーションデータＣmrに基づいて再生制御のための制御信号Ｃ７を生成する。
【００６４】
更に、再生バッファメモリ２４は、一時的に格納したデコードデータＤＰRを所定タイミングに同期したデコードデータＤＰAVに配列して、デマルチプレックス回路２３へ出力する。
【００６５】
デマルチプレックス回路２３は、中央制御回路８から供給される制御信号Ｃ７に従って、デコードデータＤＰAV内に時分割多重されている圧縮ビデオデータＤＰVOと圧縮オーディオデータＤＰAOとをデマルチプレックスし、圧縮ビデオデータＤＰVOをビデオ伸張回路２１に、圧縮オーディオデータＤＰAOをオーディオ伸張回路２２にそれぞれ供給する。
【００６６】
ビデオ伸張回路２１は、圧縮ビデオデータＤＰVOについて、上記ビデオ圧縮回路１４の圧縮方式に対応する所定の伸張処理を施すことにより、伸張されたビデオデータＤVOを出力する。
【００６７】
オーディオ伸張回路２２は、圧縮オーディオデータＤＰAOについて、上記オーディオ圧縮回路１３の圧縮方式に対応する所定の伸張処理を施すことにより、伸張されたオーディオデータＤAOを生成して出力する。
【００６８】
ここで、オーディオ伸張回路２２は、図２のブロック図に示すように、デコーダ回路２２ａ，２２ｃと、セレクタ回路２２ｅと、デジタル出力回路２２ｇを備えて構成され、各回路２２ａ，２２ｃ，２２ｅ，２２ｇに、デマルチプレックス回路２３からの圧縮オーディオデータＤＰAOが供給される。
【００６９】
デコーダ回路２２ａは、ＡＣ−３規格に準拠した圧縮オーディオデータＤＰAOをリニアＰＣＭの形態のオーディオデータＤAOに伸張し、バッファメモリ２２ｂに一時的に保持しつつ所定のタイミングでセレクタ回路２２ｅへ転送する。
【００７０】
デコーダ回路２２ｃは、ＭＰＥＧオーディオ規格に準拠した圧縮オーディオデータＤＰAOをリニアＰＣＭの形態のオーディオデータＤAOに伸張し、バッファメモリ２２ｄに一時的に保持しつつ所定のタイミングでセレクタ回路２２ｅへ転送する。
【００７１】
セレクタ回路２２ｅは、中央制御回路８から供給される制御信号Ｃ７中の選択制御情報Ｃ71に従って切替え動作する。そして、圧縮オーディオデータＤＰVOがリニアＰＣＭのデータのときは、圧縮オーディオデータＤＰVOをそのままチャンネルセレクタ回路２２ｆへ転送し、ＡＣ−３規格に準拠した圧縮オーディオデータＤＰAOのときは、デコーダ２２ａで伸張されるオーディオデータＤAOをチャンネルセレクタ回路２２ｆへ転送し、ＭＰＥＧオーディオ規格に準拠した圧縮オーディオデータＤＰAOのときは、デコーダ２２ｃで伸張されるオーディオデータＤAOをチャンネルセレクタ回路２２ｆへ転送する。
【００７２】
チャンネルセレクタ回路２２ｆは、中央制御回路８から供給される制御信号Ｃ７中のチャンネル選択制御情報Ｃ72に従って切替え動作する。
【００７３】
すなわち、オーディオデータＤAOが多重のオーディオデータである場合には、制御信号Ｃ７により主音声のチャネル切替えの指示がなされると、オーディオデータＤAO中の主音声のデータを送出し、副音声のチャンネル切替えの指示がなされると、オーディオデータＤAO中の副音声のデータを送出し、両方の音声の再生指示がなされると、主音声と副音声のオーディオデータＤAOを送出する。
【００７４】
デジタル出力回路２２ｇは、圧縮オーディオデータＤＰAOをデジタル入力対応のオーディオビジュアル機器に供給するために設けられている。そして、使用者等が操作部１０を操作して、ＡＣ−３、ＭＰＥＧオーディオ、リニアＰＣＭのいずれかの再生方式を指示すると、デジタル出力回路２２ｇは、中央制御回路８から供給される制御信号Ｃ７中の出力切替制御情報Ｃ73とチャンネル選択制御情報Ｃ72に従って、自動的に、指定された圧縮方式の圧縮オーディオデータＤＰAOを選択して出力する。
【００７５】
また、チャンネルセレクタ回路２２ｆから出力されるオーディオデータＤAOがデジタル出力回路２２ｇにも入力されている。これにより、例えば、使用者等が、ＡＣ−３の１＋１モードで主音声（あるいは、左チャンネルのみ）が選択されていた場合に、オーディオビジュアル機器で再生させることができる。
【００７６】
再び図１において、Ｄ／Ａコンバータ１９は、ビデオ伸張回路２１から供給されるビデオデータＤVOをデジタル・アナログ変換することにより、アナログのビデオ信号ＳVOを生成して出力する。
【００７７】
Ｄ／Ａコンバータ２０は、オーディオ伸張回路２２から供給されるオーディオデータＤAOをデジタル・アナログ変換することにより、アナログのオーディオ信号ＳAOを生成して出力する。
【００７８】
中央制御回路８は、予め設定されているシステムプログラム等を記録するメモリ８ａと、上記システムプログラムを実行することにより記録再生装置１全体の動作を制御するマイクロプロセッサ（ＣＰＵ）を備えて構成されている。
【００７９】
すなわち、中央制御回路８は、上記マイクロプロセッサによって、サーボ回路５と記録系６及び再生系７の動作を制御する。また、記録時には、上記のオーディオストリーム属性テーブル（VOB_AST_ATRT）に記録するためのチャンネルデータＣＨｎと混在フラグデータＦＬＧ等を生成するための制御を行う、また、再生時には、これらのチャンネルデータＣＨｎと混在フラグデータＦＬＧ等に基づいて再生を行うための制御を行う。更に、使用者等の指示を操作部９を介して受信し、更に、本記録再生装置１の現在の動作内容や、記録情報や再生情報に関連する各種情報等や、記録・再生中のオーディオデータとビデオデータに関するナビゲーションデータの情報等や、操作者等に記録再生装置１の操作方法を提示するためのメニュー表示等を表示部１０に表示させるようになっている。
【００８０】
次に、図３ないし図６を参照して、記録媒体２の論理データ構造を説明する。尚、この記録媒体２は、ＤＶＤ−Videoとの物理的互換性を保持すると共に、ＤＶＤ−Videoと共通する論理データ構造を有している。そこで、主として、この記録媒体２の特徴点について説明することとする。
【００８１】
図３は、全体の論理データ構造を模式的に示した説明図である。同図において、記録媒体２のボリューム空間は、記録媒体２の内周側のトラックに割り当てられたリードイン領域ＬＩと、外周側のトラックに割り当てられたリードアウト領域ＬＯと、データ記録領域（データ記録ゾーン）ＤＺから成っている。
【００８２】
データ記録領域ＤＺは、物理アドレスと論理アドレスの関係を示す論理フォーマットであるマイクロＵＤＦ（Universal Disc Format）が記録されるＵＤＦ記録領域２７と、ビデオデータ記録領域ＶＤＺからなっている。
【００８３】
更に、ビデオデータ記録領域ＶＤＺは、ビデオマネージャ情報（ＶＭＧＩ）を有するビデオマネージャ（ＶＭＧ）と呼ばれる制御データを記録するためのビデオマネージャ記録領域２８と、記録再生用データであるビデオデータ及びオーディオデータ等を記録するための記録領域２９によって構成されている。尚、ビデオデータ記録領域ＶＤＺには、データが複数のファイル３０として記録され、セット単位、セル単位、ユニット単位、パック単位等の集合として階層化される。
【００８４】
最上位の記録単位として、ビデオタイトルセット（ＶＴＳ；Video Title Set）３１が決められ、複数のビデオタイトルセットＶＴＳ(#1)〜ＶＴＳ(#n)を記録できるようになっている。それぞれのビデオタイトルセットＶＴＳは、一対一に対応付けられた各ビデオオブジェクトセット（ＶＯＢＳ；Video Object Set）３２により構成される。
【００８５】
各ビデオオブジェクトセット（ＶＯＢＳ）３２は、１又は２以上のビデオオブジェクト（ＶＯＢ；Video Object）３３の集合によって構成される。尚、各ビデオオブジェクト（ＶＯＢ）３３には、ＩＤ番号（V_ID１〜V_IDi）が付されることにより、識別が可能となっている。
【００８６】
また、各ビデオオブジェクト（ＶＯＢ）３３は、１又は２以上のセル（Ｃｅｌｌ）３４の集合によって構成され、各セル（Ｃｅｌｌ）３４は、１又は２以上のビデオオブジェクトユニット（ＶＯＢＵ；Video Object Unit）３５の集合によって構成される。尚、これらの各セル（Ｃｅｌｌ）３４にも、ＩＤ番号（C_ID1〜C_IDj）が付されることにより、識別が可能となっている。
【００８７】
更に、一のビデオオブジェクトユニット（ＶＯＢＵ）３５は、１又は２以上のビデオパック（Video Pack）Ｖとオーディオパック（Audio Pack）Ａとサブピクチャーパック（Sub-picture Pack）Ｓの集合により構成される。
【００８８】
つまり、これらビデオパックＶとオーディオパックＡサブピクチャーパックＳを有するプレゼンテーションデータは、ビデオオブジェクトユニット（ＶＯＢＵ）３５とセル（Ｃｅｌｌ）３４、ビデオオブジェクト（ＶＯＢ）３３、ビデオオブジェクトセット（ＶＯＢＳ）３２及びビデオタイトルセット（ＶＴＳ）３１によって階層化される。そして、再生時には、プレゼンテーションデータは、ビデオマネージャ情報（ＶＭＧＩ）中のプログラムチェーン情報（ＰＧＣＩ）に基づいて、所定の順序で再生される。
【００８９】
ここで、上記のビデオマネージャ記録領域２８には、図４に示すように、ボリューム内の全てのビデオタイトルセットＶＴＳ(#1)〜ＶＴＳ(#n)に割り当てられたプレゼンテーションデータの再生順序を制御するためのプログラムチェーン情報（ＰＧＣＩ；Program Chain Information）と、プレゼンテーションデータのアトリビュート情報を有するビデオオブジェクト情報（ＶＯＢＩ；Video Object Information）を少なくとも備えたビデオマネージャ情報（ＶＭＧＩ；Video Manager Information）が記録される。
【００９０】
つまり、ビデオマネージャ情報（ＶＭＧＩ）は、ナビゲーションデータの１つであり、ビデオタイトルセットＶＴＳ(#1)〜ＶＴＳ(#n)を記録再生するための管理データである。そのうちのプログラムチェーン情報（ＰＧＣＩ）は、ビデオパックＶとオーディオパックＡ及びサブピクチャーパックＳを有するプレゼンテーションデータの再生順序に関する情報をセル（Ｃｅｌｌ）の順序の情報として記録される。ビデオオブジェクト情報（ＶＯＢＩ）は、プレゼンテーションデータのアトリビュート情報を記録するためのテーブルである。
【００９１】
ビデオオブジェクト情報（ＶＯＢＩ）の１つの項目として、ビデオオブジェクト（ＶＯＢ）に含まれているオーディオパックＡのアトリビュートを記録するためのオーディオストリーム属性テーブル（VOB_AST_ATRT）が備えられている。
【００９２】
このオーディオストリーム属性テーブル（VOB_AST_ATRT）は、３バイトで構成され、オーディオ符号化モード（Audio coding mode）と、チャンネルナンバー（Channel Number）と、量子化数（Quantization）Ｑb、サンプリング周波数（Sampling frequency）ｆs、チャンネル数（Number of Audio channels）ＣＨn、及びビットレート（Bit rate）の各項目の情報が記録される。
【００９３】
ここで、上記のオーディオ符号化モードには、オーディオパックＡがＭＰＥＧ２オーディオとＡＣ−３及びリニアＰＣＭのいずれの方式で圧縮されて記録されているかを示す識別データが、コード化されたバイナリデータとして記録される。
【００９４】
上記チャンネルナンバーには、混在モードフラグＦＬＧが記録される。すなわち、図７（ａ）に示すように、記録媒体２に記録される１タイトル分の記録情報中に、多重オーディオ、多チャンネルオーディオ、モノラルオーディオのデータが混在している場合（記録モードが混在している場合）には、ＦＬＧ＝“１”となり、１タイトルの記録情報が、多重オーディオ、多チャンネルオーディオ、モノラルオーディオのうちの１種類だけ場合には、ＦＬＧ＝“０”となる。
【００９５】
上記のチャンネル数ＣＨｎには、多重オーディオデータが記録される場合には、主音声と副音声が１ストリームとして記録されることを示す１＋１チャンネルデータが記録され、多チャンネルオーディオデータが記録される場合には、２チャンネルが１ストリームとして記録されることを示す２／０チャンネルデータが記録され、モノラルオーディオデータが記録される場合には、１ストリームで記録されることを示す１／０チャンネルデータが記録される。
【００９６】
このように、オーディオストリーム属性テーブル（VOB_AST_ATRT）によって、記録媒体２に記録されたオーディオストリームの品質と記録状況等を表すこととしている。また、再生時には、中央制御回路８が、オーディオストリーム属性テーブル（VOB_AST_ATRT）の各情報に基づいて、再生制御に必要な制御信号Ｃ５〜Ｃ７等を生成できるようになっている。
【００９７】
更に、ビデオパックＶは、図５に示すように、ビデオデータの先頭にそのアトリビュートを示す制御データを付けて記録されるようになっている。また、オーディオデータＡは、図６（ａ）〜（ｃ）に示すようにデータ圧縮方式に応じて、オーディオデータの先頭にそのアトリビュートを示す制御データを付けて記録されるようになっている。更に、ＤＶＤ−Videoと同様に、オーディオデータＡのアトリビュートとして、少なくとも、記録されるオーディオデータのチャンネル数を示すデータが記録される。つまり、ステレオオーディオデータの場合には、２チャンネルを示すチャンネル数データが記録され、多重オーディオデータの場合には、主音声と副音声を２チャンネルとするチャンネル数データが記録される。
【００９８】
次に、記録再生装置１の記録時と再生時の動作例について説明する。尚、多重オーディオ信号とステレオオーディオ信号とが頻繁に切り替わる二カ国語放送の洋画番組等を記録媒体に録画（記録）する場合と、その記録媒体を再生する場合の動作例について説明する。
【００９９】
図１において、上記洋画番組等の録画を開始すると、オーディオ信号ＳAIとビデオ信号ＳVIを、Ａ／Ｄコンバータ１１，１２とオーディオ圧縮回路１３及びビデオ圧縮回路１４で処理し、圧縮オーディオデータＤAIと圧縮ビデオデータＤVIに変換してマルチプレックス回路１５に供給する。そして、圧縮オーディオデータＤAIと圧縮ビデオデータＤVIを、マルチプレックス回路１５で時分割多重してエンコーダ１７で符号化し、更に、それぞれのアトリビュート等に関する上記のナビゲーションデータと共に、記録回路１８及びピックアップ４を介して記録媒体２に録画（記録）する。
【０１００】
ここで、１つの洋画番組中に複数回のステレオのコマーシャルが放送されるような場合には、主音声と副音声を有する多重オーディオ信号ＳAIが入力する期間では、多重記録モードとなり、コマーシャル中にステレオオーディオ信号ＳAIが入力する期間では、ステレオ記録モードに切り替わる。
【０１０１】
しかし、１記録単位で記録されるオーディオストリーム属性テーブル（VOB_AST_ATRT）は１個である。
【０１０２】
すなわち、図４に示したオーディオストリーム属性テーブル（VOB_AST_ATRT）のオーディオ符号化モードには、使用者等が指定したデータ圧縮方式を示すデータが記録される。
【０１０３】
更に、アプリケーションモードには、 最終的に記録された一のタイトル中に多重オーディオデータと多チャンネルオーディオデータが混在しているか否かを示す混在モードフラグＦＬＧが記録される。
【０１０４】
更に、最初に記録が開始されたオーディオデータが多重オーディオデータの場合には、チャンネル数ＣＨｎに、１＋１チャンネルデータが記録され、最初に記録が開始されたオーディオデータがステレオオーディオデータの場合には、チャンネル数ＣＨｎに、２／０チャンネルデータが記録される。但し、最初に記録が開始されたオーディオデータに基づいて上記のチャンネルデータＣＨｎを記録するようにしてもよいし、適宜のタイミングで決めてもよい。
【０１０５】
また、オーディオ符号化モードには、使用者等が指定したデータ圧縮方式を示すデータが記録され、量子化数とサンプリング周波数には、Ａ／Ｄコンバータ１１で設定された量子化数とサンプリング周波数のデータが記録される。
【０１０６】
そして、プログラムチェーン情報（ＰＧＣＩ）には、ビデオオブジェクト（ＶＯＢ）単位での再生順序と、１オーディオストリームとして再生させるための制御データが記録される。
【０１０７】
このように、本実施形態では、記録媒体２は、多重オーディオ信号をステレオオーディオ信号と混在させて１ストリームとして記録させる論理データ構造を備え、一方、記録再生装置１は、この論理データ構造に準拠して多重オーディオ信号とステレオ信号、若しくはモノラル信号とを１ストリームとして記録するようにしている。
【０１０８】
この結果、仮に多重オーディオ信号を、ＤＶＤ-Videoで規格化されているモノラル記録モードによって２ストリームとして記録することとした場合には、最大数に制限のあるビデオオブジェクト（ＶＯＢ）を大量に消費してしまうのに対し、本実施形態によれば、多重オーディオ信号を１ストリームとして記録させることが可能なため、ビデオオブジェクト（ＶＯＢ）の消費量を抑えることができる。
【０１０９】
更に、このようにビデオオブジェクト（ＶＯＢ）の消費量を抑制することができるのに伴って、ビデオオブジェクト（ＶＯＢ）を管理するための管理データ（ナビゲーションデータ等）の記録量も減らすことができるため、記録媒体２の記録可能容量の実質的な向上を図ることが可能となり、更に、効率の良い記録が可能となる。
【０１１０】
また、多重記録モードとステレオ記録モードとが混在した場合には、オーディオストリーム属性テーブル（VOB_AST_ATRT）中のアプリケーションモードに記録される混在モードフラグＦＬＧによって、混在の状態が示されるので、後述する再生時に、混在モードフラグＦＬＧと上記チャンネルデータＣＨｎを検出することで、混在した記録モードで記録されたオーディオデータを再生することができる。
【０１１１】
次に、記録再生装置１の再生時の動作例について、図８に示すフローチャートを参照して説明する。尚、上述した多重オーディオ信号とステレオオーディオ信号が１つのストリームとして記録された記録媒体２を用いて再生する場合の動作例について説明する。
【０１１２】
図８において、使用者等が記録再生装置１の電源を投入し、記録媒体２を挿入すると（ステップ１００）、ステップ１０２の処理へ移行する。ステップ１０２では、ピックアップ４が、記録媒体２に記録されているビデオマネージャ情報（ＶＭＧＩ）を読み取って再生系７に供給する。再生系７では、そのビデオマネージャ情報（ＶＭＧＩ）を再生回路２６とデコーダ２５を通じて入力し、再生バッファメモリ２４に記憶する。そして、使用者等が次の指示をするまで待機する（ステップ１０４）。
【０１１３】
ステップ１０４では、使用者等が所望のビデオオブジェクト（ＶＯＢ）をマニュアルで指示したり、ビデオオブジェクト（ＶＯＢ）の指示することなく自動再生の指示を行う。
【０１１４】
次に、使用者等がステップ１０４において上記の指示を行い、更にステップ１０６において再生開始を指示すると、中央制御回路８がこれらの指示内容を入力した後、ステップ１０８の処理に移行する。
【０１１５】
ステップ１０８では、中央制御回路８が再生バッファメモリ２４をメモリアクセスし、ビデオマネージャ情報（ＶＭＧＩ）のうちから、図４に示したオーディオストリーム属性テーブル（VOB_AST_ATRT）の各項目のデータＣmrを入力する。
【０１１６】
更に、中央制御回路８は、入力したデータＣmrのうちのオーディオ符号化モードに基づいて、オーディオストリームがいずれのデータ圧縮方式（ＡＣ−３、ＭＰＥＧオーディオ、リニアＰＣＭ）で記録されているかを確認すると共に、混在モードフラグＦＬＧとチャンネルデータＣＨｎに基づいて、オーディオストリームがいずれの記録モード（多重記録モード、ステレオ記録モード、モノラル記録モード、混在モード）で記録されているかを確認する。
【０１１７】
例えば、図７（ｃ）に示すように、チャンネル数ＣＨｎが、１＋１チャンネルデータ又は２／０チャンネルデータであって、且つ混在モードフラグＦＬＧが“１”であった場合には、ステレオ記録モードと多重データ記録モードより、オーディオデータが混在して記録されていると判定する。また、ステレオオーディオデータと多重オーディオデータが、共に１ストリームとして記録されていると判定する。
【０１１８】
また、混在モードフラグＦＬＧが“０”の場合には、夫々のチャンネルデータＣＨｎに基づいて、記録モードを判定する。
【０１１９】
次に、ステップ１１０において、所望のビデオオブジェクト（ＶＯＢ）が指示されたか否かを判定し、所望のビデオオブジェクト（ＶＯＢ）が指示されている場合（「ＹＥＳ」の場合）には、ステップ１１２の処理を行ってから、プレゼンテーションデータの再生処理（ステップ１１４）を開始し、所望のビデオオブジェクト（ＶＯＢ）が指示されていない場合（「ＮＯ」の場合）には、ステップ１１２の処理を行なわずに、プレゼンテーションデータの再生処理（ステップ１１４）を開始する。
【０１２０】
ステップ１１２では、使用者等がディジタル入力対応のオーディオビジュアル機器を本記録再生装置１に接続した場合には、操作部９を操作して、そのオーディオビジュアル機器に備えられている再生機能に合った再生方法を指定する。
【０１２１】
例えば、使用者等がそのオーディオビジュアル機器に備えられている再生機能（ＭＰＥＧ２オーディオ再生機能とＡＣ−３再生機能）のうちの１つを指定すると、図２に示したオーディオ伸張回路２２中のデジタル出力回路２２ｇが、制御信号Ｃ７によって、指定されたディジタル出力のモードに設定される。また、ＭＰＥＧオーディオ再生機能とＡＣ−３再生機能が指定されない場合には、デジタル出力回路２２ｇは、自動的にリニアＰＣＭのディジタル出力モードに設定される。
【０１２２】
更に、所望のビデオオブジェクト（ＶＯＢ）がステレオオーディオストリーム又は多重オーディオストリームを有している場合には、使用者等が２チャンネルの出力又は一方のチャンネル（右チャンネル又は左チャンネル）の出力を指定すると、デジタル出力回路２２ｇは、制御信号Ｃ７によって、指定されたチャンネルのディジタル出力モードに設定される。
【０１２３】
このように、使用者等による出力方法の設定が行われた後、ステップ１１４に処理が移行すると、プレゼンテーションデータの再生処理が開始される。
【０１２４】
ステップ１１４では、混在モードであることを確認すると、図６（ａ）〜（ｃ）に示したオーディオパックＡ中のチャンネル数のデータに基づいて所謂２チャンネルの再生が行われる。そして、制御信号Ｃ７によってデマルチプレックス回路２３とオーディオ伸張回路２２を制御することにより、多チャンネルデータの再生時には、右チャンネルと左チャンネルの再生オーディオ信号に復調して出力させ、多重オーディオのデータの再生時には、主音声と副音声の再生オーディオ信号に復調して出力させる。
【０１２５】
このように、本実施形態では、記録媒体２は、多重オーディオ信号をステレオオーディオ信号と同様に１ストリームとして記録させる論理データ構造を備え、一方、記録再生装置１は、この論理データ構造に準拠して多重オーディオ信号をステレオオーディオ信号と同様に再生する。
【０１２６】
この結果、仮に多重オーディオ信号を、ＤＶＤ-Videoで規格化されているモノラル記録モードによって２ストリームとして再生することとすると、ストリームの切替え時に、ノイズや無音部が生じる場合が生じるのに対し、本実施形態によれば、多重オーディオ信号とステレオオーディオ信号の切り替わりがあっても、これらを連続して再生するので、ノイズや無音期間の発生を無くすことができる。
【０１２７】
更に、混在モードフラグＦＬＧとチャンネルデータＣＨｎに基づいて、混在モードの有無を検出し、混在モードのときには、オーディオパック中のチャンネル数のデータに基づいて、多重オーディオ信号とステレオオーディオ信号を連続的に再生するので、従来技術のようにビデオオブジェクト（ＶＯＢ）単位でストリームの切替えを行うこと無く再生を行うことができる。この結果、ノイズや無音期間の発生を無くすことができる。
【０１２８】
【発明の効果】
以上説明したように本発明によれば、多重オーディオ情報と多チャンネルオーディオ情報、あるいはモノラル情報とを１つのストリームで記録するようにしたので、例えば、二カ国言音声とステレオ音声を含んだ洋画番組等、複数の記録モードのオーディオ情報が混在した記録情報を、ストリームの切替えを行うことなく記録又は再生することができる。この結果、ノイズの発生と無音期間の発生を抑えることができると共に、記録媒体の記録容量を効率的に用いることができる。
【０１２９】
また、多重オーディオ情報の所謂多重化されている情報数、多チャンネルオーディオ情報の所謂チャンネル数の情報を記録させ又は再生することとしたので、再生時に、これら所謂多重化されている情報数と、所謂チャンネル数の情報に基づいて、ストリームの切替えを行うことなく、元の多重オーディオ情報と、多チャンネルオーディオ情報を再生することができる。
【０１３０】
また、使用者等が他のオーディオビジュアル機器を用いて再生を行う際に、再生前に予め第１，第２の記録領域の情報を確認することで、他のオーディオビジュアル機器を所望の再生モードに設定して、所望の再生状態で記録情報を再生させることもできる。
【図面の簡単な説明】
【図１】本実施形態に係る記録再生装置の構成を示すブロック図である。
【図２】本実施形態に係る記録再生装置に備えられているオーディオ伸張回路の構成を示すブロック図である。
【図３】本実施形態の記録媒体の論理データ構造を模式的に示す説明図である。
【図４】ビデオオブジェクト情報に含まれるオーディオストリーム属性テーブルの構成を模式的に示す説明図である。
【図５】ビデオパックの構成を模式的に示す説明図である。
【図６】オーディオパックの構成を模式的に示す説明図である。
【図７】第１の情報であるチャンネルデータＣＨｎと第２の情報である混在モードフラグＦＬＧの内容と、それらの関係を示す説明図である。
【図８】本実施形態に係る記録再生装置の再生時の動作例を説明するためのフローチャートである。
【符号の説明】
１…記録再生装置
２…記録媒体
６…記録系
７…再生系
８…中央制御回路
１１，１２…Ａ／Ｄコンバータ
１３…オーディオ圧縮回路
１４…ビデオ圧縮回路
１５…マルチプレックス回路
１６…記録バッファメモリ
１７…エンコーダ
１８…記録回路
１９，２０…Ｄ／Ａコンバータ
２１…ビデオ伸張回路
２２…オーディオ伸張回路
２２ａ，２２ｃ…デコーダ回路
２２ｅ…セレクタ回路
２２ｆ…チャンネルセレクタ回路
２２ｇ…デジタル出力回路
２３…デマルチプレックス回路
２４…再生バッファメモリ
２５…デコーダ
２６…再生回路
【図１】
0003912922.tif 000002
【図２】
0003912922.tif 000003
【図３】
0003912922.tif 000004
【図４】
0003912922.tif 000005
【図５】
0003912922.tif 000006
【図６】
0003912922.tif 000007
【図７】
0003912922.tif 000008
【図８】
0003912922.tif 000009